(57)【要約】【課題】冷蔵庫本体の扉に設けられる操作部の誤操作の発生を抑える。【解決手段】冷蔵庫は、冷蔵庫本体の扉に、操作部及び表示部を備え、前記扉に設けられ前記操作部の操作に伴って該扉に発生する振動を検出する振動センサと、前記振動センサの振動検出に基づいて、前記操作部の操作があったことを判断し、該操作部の操作に応じた設定等の処理を実行する制御部とを備えている。【選択図】図３
2014234985.tif 000002
【特許請求の範囲】
【請求項１】
冷蔵庫本体の扉に、操作部及び表示部を備えてなる冷蔵庫であって、
前記扉に設けられ前記操作部の操作に伴って該扉に発生する振動を検出する振動センサと、
前記振動センサの振動検出に基づいて、前記操作部の操作があったことを判断し、該操作部の操作に応じた設定等の処理を実行する制御部とを備えることを特徴とする冷蔵庫。
【請求項２】
前記制御部は、前記操作部の操作があったときに、該操作部の操作に応じて前記表示部の表示を変更することを特徴とする請求項１記載の冷蔵庫。
【請求項３】
前記扉の前面には、透光性を有する前面板が配設されており、
前記表示部は、前記前面板に設けられた表示領域と、前記前面板の裏面側に設けられ前記表示領域に表示部を投影表示する表示機構とを備えて構成されていることを特徴とする請求項１又は２記載の冷蔵庫。
【請求項４】
前記扉の前面には、透光性を有する前面板が配設されており、
前記操作部は、前記前面板の前面に設けられていることを特徴とする請求項１から３のいずれか一項に記載の冷蔵庫。
【請求項５】
前記操作部は、第１操作部と第２操作部とを含み、前記振動センサは、そのうち第２操作部が操作されたときの振動を検出するように構成されていると共に、
前記制御部は、前記第１操作部及び第２操作部の操作がない状態が所定時間継続したときに、前記操作部のモードを、前記第１操作部及び第２操作部の双方の操作が有効な通常モードから、前記第２操作部の操作のみを有効とする待機モードに変更することを特徴とする請求項１から４のいずれか一項に記載の冷蔵庫。
【請求項６】
前記操作部は、第１操作部と第２操作部とを含み、前記振動センサは、そのうち第２操作部が操作されたときの振動を検出するように構成されていると共に、
前記制御部は、前記第１操作部及び第２操作部の操作がない状態が所定時間継続したときに、前記操作部のモードを、前記第１操作部の操作のみが有効な通常モードから、前記第２操作部の操作のみを有効とする待機モードに変更することを特徴とする請求項１から４のいずれか一項に記載の冷蔵庫。
【請求項７】
前記制御部は、前記操作部の待機モードにおいて、前記第２操作部の操作があったときに、前記待機モードを解除して前記通常モードに戻すことを特徴とする請求項５又は６記載の冷蔵庫。
【請求項８】
前記制御部は、前記操作部の待機モードにおいて、前記第２操作部の操作が所定時間内に複数回繰返されたときに、前記待機モードを解除して前記通常モードに戻すことを特徴とする請求項５又は６記載の冷蔵庫。
【請求項９】
前記扉を自動で開放させる自動開扉装置を備え、
前記制御部は、前記操作部の操作があったときに、前記自動開扉装置を動作させることを特徴とする請求項１から８のいずれか一項に記載の冷蔵庫。
【請求項１０】
前記扉を自動で開放させる自動開扉装置を備え、
前記制御部は、前記操作部の操作が所定時間内に複数回繰返されたときに、前記自動開扉装置を動作させることを特徴とする請求項１から８のいずれか一項に記載の冷蔵庫。
【請求項１１】
前記扉を自動で開放させる自動開扉装置を備え、
前記操作部は、第１操作部と第３操作部とを含み、前記第３操作部が操作されたときの振動を振動センサにより検出するように構成されると共に、
前記制御部は、前記第１操作部が操作されたときに設定内容を変更し、前記第３操作部の操作があったときに、前記自動開扉装置を動作させることを特徴とする請求項１から８のいずれか一項に記載の冷蔵庫。
【請求項１２】
前記扉を自動で開放させる自動開扉装置を備え、
前記操作部は、第１操作部と第３操作部とを含み、前記第１操作部が操作されたときの振動を振動センサにより検出するように構成されると共に、
前記制御部は、前記第１操作部が操作されたときに設定内容を変更し、前記第３操作部の操作があったときに、前記自動開扉装置を動作させることを特徴とする請求項１から８のいずれか一項に記載の冷蔵庫。
【請求項１３】
前記操作部は、複数の操作部を含み、そのうち一部の操作部が操作されたときの振動を振動センサにより検出するように構成されると共に、
前記操作部のうち残りの操作部の操作は、前記振動センサとは異なる方式のセンサにより検出されるように構成されていることを特徴とする請求項１から１２のいずれか一項に記載の冷蔵庫。
【発明の詳細な説明】
【技術分野】
【０００１】
本発明の実施形態は冷蔵庫に関する。
【背景技術】
【０００２】
従来、例えば家庭用の冷蔵庫においては、一般に、冷蔵室の扉に、操作を指示する複数の操作部及びその操作結果を表示する複数の表示部を有する操作パネルを設けることが行われている。近年、前記操作部を構成する操作スイッチとして、例えばガラス製の前面板の裏面側に、タッチ検出用の電極を配置し、人の指が前面板に接触（近接）することに伴う電極の静電容量の変化を検出する静電容量式のタッチセンサを採用することが考えられている。尚、特許文献１には、自動開扉装置を備える冷蔵庫において、圧電センサ素子等のセンサにより扉の表面振動（音響パルス波）を検出することに基づいて、扉の開動作を行うことが開示されている。
【先行技術文献】
【特許文献】
【０００３】
【特許文献１】特開２０１２−１７８６５号公報
【発明の概要】
【発明が解決しようとする課題】
【０００４】
上記のように、冷蔵庫の扉に設けられる操作部に、静電容量式のタッチセンサを採用したものでは、偶然（意図せずに）人の体（肩など）が扉に触れてしまったり、操作部の表面に水がかかったりした場合に、誤動作する虞があった。そこで、冷蔵庫本体の扉に操作部を設けるものにあって、操作部の誤操作の発生を抑える。
【課題を解決するための手段】
【０００５】
実施形態の冷蔵庫は、冷蔵庫本体の扉に操作部及び表示部を備えてなるものであって、前記扉に設けられ前記操作部の操作に伴って該扉に発生する振動を検出する振動センサと、前記振動センサの振動検出に基づいて、前記操作部の操作があったことを判断し、該操作部の操作に応じた設定等の処理を実行する制御部とを備えるところに特徴を有する。
【図面の簡単な説明】
【０００６】
【図１】第１の実施形態を示すもので、冷蔵庫本体の正面図
【図２】操作パネル部の全ての表示がなされた状態の拡大正面図
【図３】操作パネル部部分を概略的に示す縦断右側面図
【図４】電気的構成を概略的に示すブロック図
【図５】操作制御部が実行する通常モードから待機モードへの切替えの処理手順を示すフローチャート
【図６】待機モードにおける、第１、第２操作部の有効、無効の判断の処理手順を示すフローチャート
【図７】第２の実施形態を示す図６相当図
【図８】第３の実施形態を示すもので、右扉の開扉状態を示す冷蔵室部分の正面図
【発明を実施するための形態】
【０００７】
（１）第１の実施形態
以下、第１の実施形態について、図１から図６を参照して説明する。図１は、本実施形態における冷蔵庫本体１の外観構成を概略的に示している。この冷蔵庫本体１は、前面が開口した縦長矩形箱状の断熱箱体２内に、複数の貯蔵室を設けて構成されている。具体的には、断熱箱体２内には、上から順に冷蔵室３、野菜室４が設けられ、この野菜室４の下方に製氷室５と第２冷凍室（切替室）６とが左右に並べて設けられ、最下部に第１冷凍室７が設けられている。
【０００８】
このうち、冷蔵室３及び野菜室４は、庫内温度が例えば１℃から５℃程度の冷蔵温度に制御される冷蔵温度帯の貯蔵室である。製氷室５、第２冷凍室６及び第１冷凍室７は、庫内温度が例えば−１８℃以下の冷凍温度に制御される冷凍温度帯の貯蔵室である。前記冷蔵室３の前面には、断熱性を有する観音開き式の扉、即ち左右２枚のヒンジ開閉式の扉８、９が設けられている。後述するように、そのうち左側の扉８（以下、左扉８という）には、図２等にも示すように、操作パネル部１０が設けられる。前記野菜室４、製氷室５、第２冷凍室６、第１冷凍室７の前面は、夫々、背面部に貯蔵容器を連結した引出し式の断熱扉１１、１２、１３、１４によって開閉される。
【０００９】
詳しく図示はしないが、前記冷蔵庫本体１には、冷凍サイクルが組込まれている。図４に一部示すように、この冷凍サイクルは、前記冷蔵室３及び野菜室４を冷却するための冷蔵室用冷却器と、前記製氷室５及び第１、第２冷凍室７、６を冷却するための冷凍室用冷却器との２つの冷却器を備えると共に、圧縮機１５（図４にのみ図示）、凝縮器、前記２つの冷却器に対する冷媒の流れを切替えるための切替弁１６等を備えて構成される。
【００１０】
また、図４に示すように、冷蔵庫本体１内には、冷蔵室３及び野菜室４に冷蔵室用冷却器からの冷気を循環供給するための冷蔵用送風機１７、製氷室５及び第１、第２冷凍室７、６に冷凍室用冷却器から冷気を循環供給するための冷凍用送風機１８、前記冷凍室用冷却器の除霜を行うための除霜ヒータ１９．冷蔵室温度センサ２０、冷凍室温度センサ２１等が設けられている。
【００１１】
さらに、冷蔵庫本体１内には、コンピュータを主体として構成され、全体を制御する主制御装置２２が設けられている。この主制御装置２２は、後述する操作制御部２３にも接続され、前記操作制御部２３からの信号や、前記冷蔵室温度センサ２０、前記冷凍室温度センサ２１の信号などに基づいて、前記冷蔵用送風機１７、冷凍用送風機１８、圧縮機１５、切替弁１６、除霜ヒータ１９を制御し、もって、冷蔵庫本体１の冷却運転を実行するようになっている。
【００１２】
次に、前記左扉８に設けられる操作パネル部１０の構成について、図２から図４も参照して詳述する。詳しく図示はしないが、前記左扉８は、前面側に配置される透光性を有するガラス製の前面板２４（図３参照）と、その裏面側に配置される前面が開放した前後に薄型のプラスチック製の箱体との間に、断熱材を配置して構成されている。前記操作パネル部１０は、前記前面板２４の裏面側に、操作表示ユニット２５（図４にのみ図示）を配設して構成されている。
【００１３】
この操作パネル部１０は、図１に示すように、左扉８の前面のうち、右側の辺部寄り部分の縦長な矩形状の領域に設けられ、前面板２４には、操作パネル部１０に対応した縦長矩形状の表示領域が設けられている。また、前記操作表示ユニット２５は、前面板２４の表示領域に対して裏面側から投影表示を行う表示機構２６（図３参照）や、後述する操作部に対する操作を検出する検出部、前記操作制御部２３を含んで構成される。
【００１４】
このとき、図２にも示すように、前記操作パネル部１０は、右側に、縦長の操作部２７を有すると共に、左側に縦長の表示部２８を有する。更に本実施形態では、前記操作部２７は、第１操作部２９と第２操作部３０とを含んでいる。図２は、操作部２７及び表示部２８の全ての表示がなされた状態を例示している。前記第１操作部２９には、ユーザが手の指でタッチ操作する複数、この場合５個の操作ボタン２９ａ〜２９ｅを縦一列に並んで備えている。具体的には、上から順に、「冷蔵」の操作部ボタン２９ａ、「冷凍」の操作ボタン２９ｂ、「冷凍機能」の操作ボタン２９ｃ、「製氷」の操作ボタン２９ｄ、「節電」の操作ボタン２９ｅとされている。
【００１５】
これら操作ボタン２９ａ〜２９ｅは、円の中に上記の文字を夫々配置して構成され、表示機構２６によって前面板２４に投影表示されることによって、仮想的に設定される。また、前記第２操作部３０には、「ホーム」の操作ボタン３０ａが設けられている。この「ホーム」の操作ボタン３０ａは、ほぼ五角形のマーク（家のイメージ）で設けられており、この「ホーム」の操作ボタン３０ａだけは、例えば印刷により常に表示された状態となっている。
【００１６】
詳しく図示はしないが、操作パネル部１０（操作表示ユニット２５）には、前記第１操作部２９の各操作ボタン２９ａ〜２９ｅがタッチ操作されたことを夫々検出するための５個の静電容量式タッチセンサ３１（図４にのみ図示）が設けられている。尚、この静電容量式タッチセンサ３１は、前面板２４の操作ボタン２９ａ〜２９ｅにユーザが指を触れた（接近させた）ことを静電容量の変化として検出するものである。従って、本実施形態では、第１操作部２９の操作は、次に述べる第２操作部３０の振動センサとは異なる方式のセンサにより検出されるように構成されている。
【００１７】
そして、図２、図３にも示すように、前記第２操作部３０の「ホーム」の操作ボタン３０ａがタッチ操作されたことを検出するための振動センサ３２が設けられている。この振動センサ３２は、例えば、第２操作部３０（操作ボタン３０ａ）部分がタッチ操作されたことに伴う、前面板２４の第２操作部３０部分の振動による加速度の変化を検出する加速度センサからなり、図３に示すように、操作ボタン３０ａのやや下部に位置して前面板２４の裏面側に配設されている。図４にも示すように、各静電容量式タッチセンサ３１の検出信号及び振動センサ３２の検出信号は、前記操作制御部２３に入力される。
【００１８】
図２に示すように、前記表示部２８は、各操作ボタン２９ａ〜２９ｅ及び操作ボタン３０ａに対応して、第１表示部２８ａ〜第５表示部２８ｅを縦に並んで備えている。即ち、表示部２８のうち上端の第１表示部２８ａは、「冷蔵」、「冷凍」の操作ボタン２９ａ，２９ｂに対応してそれらの中間的な位置に設けられ、「強」、「弱」の文字と、全体で円形に配置された５個の円弧ライン状のマークからなり、円弧ラインの点灯の数が強度レベルを表すインジケータとなる。
【００１９】
その下の第２表示部２８ｂは、「冷凍機能」の操作ボタン２９ｃに対応し、上から順に「一気冷凍」、「熱もの冷凍」、「野菜冷凍」、「ドライ」の文字が、選択的に表示される。その下の第３表示部２８ｃは、「製氷」の操作ボタン２９ｄに対応し、「一気製氷」、「製氷オフ」の文字が、選択的に表示される。その下の第４表示部２８ｄは、「節電」の操作ボタン２９ｅに対応し、上から順に「節電」、「おでかけ」、「ピークシフト」の文字が、選択的に表示される。下端の第５表示部２８ｅは、「ホーム」の操作ボタン３０ａに対応し、「ｅｃｏモード」の文字や、「キーロック（鍵）」のマークが、設定されたモード等に応じて表示される。
【００２０】
詳しく図示はしないが、前記表示機構２６は、光源としての複数個のＬＥＤ３３（図４参照）、前記表示部２８及び操作部２７の各文字やマーク等を投影（透過）表示させるための表示用フィルム、光ガイド部材等を備えて構成されている。前記前面板２４は、例えば裏面側に塗料が塗布されて半透明状態とされ、対応するＬＥＤ３３が点灯されたときにのみ、表示部２８及び操作部２７の各文字やマークが表示されるようになっている。図４に示すように、前記表示機構２６（各ＬＥＤ３３）は、前記操作制御部２３により制御される。
【００２１】
さて、前記操作制御部２３は、コンピュータ（ＣＰＵ）を含んで構成され、そのソフトウエア構成等により、表示機構２６（各ＬＥＤ３３）を制御して、操作部２７（第１操作部２９）の各操作ボタン２９ａ〜２９ｅの表示を行うと共に、表示部２８の第１〜第５表示部２８ａ〜２８ｅについて、現状の設定情況に対応した形態で表示を行う。これと共に、操作制御部２３は、各静電容量式タッチセンサ３１の検出信号に基づく各操作ボタン２９ａ〜２９ｅのタッチ操作（近接操作）を監視すると共に、振動センサ３２の検出信号に基づく第２操作部３０（操作ボタン３０ａ）のタッチ操作を監視する。
【００２２】
このとき、操作制御部２３は、各静電容量式タッチセンサ３１の検出信号に基づいて、各操作ボタン２９ａ〜２９ｅのタッチ操作を認識したとき、或いは、振動センサ３２の検出信号に基づく第２操作部３０（操作ボタン３０ａ）の操作を認識したときに、その操作結果に応じて表示部２８の表示の変更を行うと共に、操作に応じた設定信号を、前記冷蔵庫本体１の主制御装置２２に送信する。表示部２８の表示の変更により、操作を受付けた旨をユーザに対し知らせることができる。
【００２３】
尚、操作制御部２３が、操作ボタン２９ａ〜２９ｅや操作ボタン３０ａの操作を受付けたときに、操作ボタン２９ａ〜２９ｅの表示の変更（例えば反転表示や点滅表示）を行ったり、ブザーにより例えば「ピッ」という報知音を鳴動させたりするようにしても良い。これにより、操作を受付けた旨及びその操作結果をユーザに対しより判り易く知らせることができる。
【００２４】
そして、後の作用説明（フローチャート説明）でも述べるように、操作制御部２３は、操作部２７のモードを、通常モードと待機モードとの間で切替えるようになっている。本実施形態では、通常モードにあっては、第１操作部２９の全ての操作ボタン２９ａ〜２９ｅが表示されると共に表示部２８の必要な表示がなされて、第１操作部２９及び第２操作部３０（操作ボタン３０ａ）の双方の操作が有効とされている。
【００２５】
これに対し、待機モードでは、表示部２８の表示が消灯されると共に、操作ボタン２９ａ〜２９ｅの表示も消灯され、第２操作部３０（操作ボタン３０ａ）の操作のみが有効とされるようになっている。前記操作制御部２３は、通常モードにあって、第１操作部２９又は第２操作部３０の操作がない状態が所定時間継続したとき（例えば最後に操作されてから３０秒が経過したとき）に、モードを待機モードに切替える。そして、操作部２７の待機モードにおいて、第２操作部３０（操作ボタン３０ａ）の操作があったときに、待機モードを解除して通常モードに戻すようになっている。尚、待機モードにおいても、表示部２８のうち第５表示部２８ｅの「キーロック（鍵）」のマークのみは表示（点灯）される。
【００２６】
次に、上記構成の作用・効果について、図５及び図６も参照して述べる。図５のフローチャートは、前記操作制御部２３が実行する、冷蔵庫本体１の電源オン時における、通常モードから待機モードへの切替えの処理手順を示している。また、図６のフローチャートは、操作制御部２３が実行する、待機モードにおける、第１、第２操作部２９、３０の有効、無効の判断の処理手順を示している。
【００２７】
即ち、図５において、冷蔵庫本体１の電源オン時には、操作部２７は通常モードとされている。まず、ステップＳ１では、第１操作部２９におけるユーザの操作があるかどうかが判断される。第１操作部２９の操作がない場合には（ステップＳ１にてＮｏ）、ステップＳ２にて、第２操作部３０におけるユーザの操作があるかどうかが判断される。第２操作部３０でも操作がない場合には（ステップＳ２にてＮｏ）、ステップＳ３にて、所定時間（例えば前回操作があってから３０秒）が経過したかどうかが判断される。所定時間が経過した場合には（ステップＳ３にてＹｅｓ）、ステップＳ４に進み、通常モードから待機モードに変更される。この待機モードについては後述する。
【００２８】
一方、通常モードにおいて、第１操作部２９の操作があった場合（ステップＳ１にてＹｅｓ）、或いは、第２操作部３０の操作があった場合（ステップＳ２にてＹｅｓ）、また所定時間が経過していない場合（ステップ３にてＮｏ）には、通常モードが維持されステップＳ１からの処理が繰返される。尚、図示はしていないが、第１、第２操作部２９、３０のいずれかで操作があった場合には、所定時間を計時するためのタイマのカウントが０に戻される。
【００２９】
上記のように、通常モードでは、第１操作部２９の全ての操作ボタン２９ａ〜２９ｅが表示されると共に表示部２８の必要な表示がなされて、第１操作部２９及び第２操作部３０（操作ボタン３０ａ）の双方の操作が有効（可能）とされている。この通常モードでは、ユーザは、第１操作部２９の全ての操作ボタン２９ａ〜２９ｅを操作することにより、各種の設定等を行うことができる。例えば、「冷蔵」の操作ボタン２９ａを操作して、冷蔵室３及び野菜室４の冷却強度を５段階で設定（変更）することができる。
【００３０】
次に、待機モードの処理を示す図６のフローチャートにおいて、待機モードに変更されると、ステップＳ６にて、第１操作部２９の操作が無効とされる。このとき、上記したように、待機モードでは、表示部２８の表示が消灯される（第５表示部２８ｅの「キーロック（鍵）」のマークを除く）と共に、操作ボタン２９ａ〜２９ｅの表示も消灯され、第２操作部３０（操作ボタン３０ａ）の操作のみが有効とされるようになっている。
【００３１】
ステップＳ７では、第２操作部３０の操作ボタン３０ａが操作されたかどうかが判断される。操作ボタン３０ａが操作されない場合には（ステップＳ７にてＮｏ）、待機モードが継続され、ステップＳ６からの処理が繰返される。これに対し、第２操作部３０の操作ボタン３０ａが操作された場合には（ステップＳ７にてＹｅｓ）、ステップＳ８に進み、第１操作部２９が有効化されて、通常モードに戻される（図５のフローチャートに戻る）。このとき、第５表示部２８ｅの「キーロック（鍵）」のマークは消灯される。従って、ユーザは、待機モードを解除して設定等を行いたい場合には、「ホーム」の操作ボタン３０ａをタッチ操作すれば良い。
【００３２】
ここで、本実施形態では、第２操作部３０（操作ボタン３０ａ）の操作に伴って左扉８（前面板２４）に発生する振動を検出する振動センサ３２を設け、振動センサ３２の振動検出に基づいて、第２操作部３０（操作ボタン３０ａ）の操作があったことを判断するようにしている。この場合、第２操作部３０の操作に伴い発生する振動を検出するものであるから、たまたま触れただけや水がかかった程度で動作することはない。従って、本実施形態によれば、冷蔵庫本体１の左扉８に操作パネル部１０（操作部２７）を設けたものにあって、第２操作部３０の誤操作の発生を抑えることができる。
【００３３】
また、本実施形態では、左扉８の前面に、透光性を有する前面板２４を配設すると共に、その前面板２４に、表示部２８及び操作部２７を投影表示する構成としたので、意匠性の高い表示部２８及び操作部２７を構成することができる。第１操作部２９の操作の検出のための静電容量式タッチセンサ３１、及び、第２操作部３０の操作の検出のための振動センサ３２を、夫々、前面板２４の内側（裏面側）に設けることができるので、それらが意匠性の低下を招くこともなく、左扉８の表面の高い意匠性を確保することができる。
【００３４】
そして、本実施形態では、操作部２７を、第１操作部２９と第２操作部３０とから構成し、第１操作部２９及び第２操作部３０の操作がない状態が所定時間継続したときに、第１操作部２９及び第２操作部３０の双方の操作が有効な通常モードから、第２操作部３０の操作のみを有効とする待機モードに変更する構成とした。これにより、待機モードにおいては第１操作部２９で誤操作の発生する可能性を低減することができ、省エネも図ることができる。しかも第２操作部３０の操作は、振動センサ３２の振動検出に基づいて判断されるので、待機モードにおける第２操作部３０の誤操作を効果的に防止することができ、ユーザは、待機モードから通常モードへの変更を確実に行うことができる。
【００３５】
（２）第２、第３の実施形態、その他の実施形態
図７は、第２の実施形態を示すものであり、操作制御部２３が実行する、待機モードにおける、第１、第２操作部２９、３０の有効、無効の判断の処理手順を示すフローチャートである。この第２の実施形態が、上記第１の実施形態（図６のフローチャート）と異なるところは次の点にある。
【００３６】
即ち、本実施形態では、操作制御部２３は、操作部２７のモードを、通常モードと待機モードとの間で切替えるのであるが、通常モードにあっては、第１操作部２９の操作のみが有効とされ、待機モードでは、第２操作部３０（操作ボタン３０ａ）の操作のみが有効とされる。操作制御部２３は、通常モードにあって、第１操作部２９の操作がない状態が所定時間継続したとき（例えば最後に操作されてから３０秒が経過したとき）に、モードを待機モードに切替える。そして、操作部２７の待機モードにおいて、第２操作部３０（操作ボタン３０ａ）の操作があったときに、待機モードを解除して通常モードに戻す。
【００３７】
待機モードの処理を示す図７のフローチャートにおいて、待機モードに変更されると、ステップＳ１１にて、第１操作部２９の操作が無効とされる。このとき、第２操作部３０（操作ボタン３０ａ）の操作のみが有効とされるようになっている。ステップＳ１２では、第２操作部３０の操作ボタン３０ａが操作されたかどうかが判断される。操作ボタン３０ａが操作されない場合には（ステップＳ１２にてＮｏ）、待機モードが継続される。これに対し、第２操作部３０の操作ボタン３０ａが操作された場合には（ステップＳ１２にてＹｅｓ）、ステップＳ１３に進み、第２操作部３０の操作が無効化され、ステップＳ１４にて、第１操作部２９が有効化され、通常モードに戻される。
【００３８】
この第２の実施形態によっても、上記第１の実施形態と同様に、待機モードにおいては第１操作部２９で誤操作の発生する可能性を低減することができ、省エネも図ることができる。しかも第２操作部３０の操作は、振動センサ３２の振動検出に基づいて判断されるので、待機モードにおける第２操作部３０の誤操作を効果的に防止することができ、ユーザは、待機モードから通常モードへの変更を確実に行うことができる。
【００３９】
図８は、第３の実施形態を示すものである。この第３の実施形態が、上記第１の実施例と異なる点は、例えば冷蔵室３の右側の扉９（右扉９という）を自動で開放させる自動開扉装置４１を備えると共に、左扉８の前面に、操作パネル部１０に加えて、前記自動開扉装置４１を動作させるための第３の操作部４２を備える構成にある。前記自動開扉装置４１は、冷蔵庫本体１（断熱箱体２）の上部部分に設けられており、例えば電磁式のソレノイドを駆動源とし、オン動作されることにより右扉９の上端の左端部分を前方に押し出すようにして開放させる周知構成を備えている。この自動開扉装置４１は、主制御装置２２により通電制御される。
【００４０】
そして、詳しく図示はしないが、前記第３操作部４２は、左扉８の前面を構成する前面板２４のうち、右辺部下端部に位置して、操作ボタンなどのマーク等が記されると共に、その裏面側に振動センサ４３を配設して構成されている。この振動センサ４３は、第３操作部４２部分がタッチ操作されたことに伴う、前面板２４の振動による加速度の変化を検出する加速度センサからなり、この振動センサ４３の検出信号は、操作制御部２３に入力される。
【００４１】
操作制御部２３は、振動センサ４３からの検出信号を受けると、開扉信号を主制御装置２２に対し送信する。主制御装置２２は、その開扉信号に従って自動開扉装置４１を動作させる。尚、左扉８の前面中段部には、上記第１の実施形態と同様に、第１操作部２９、第２操作部３０、表示部２８等を有する操作パネル部１０が設けられている。第１操作部３０が操作されたときに設定内容の変更等が行われる。また、前記第２操作部３０の操作の検出（判断）については、振動センサ３２を用いても良いし、それ以外のスイッチやセンサを用いる構成に変更しても良い。
【００４２】
上記構成においては、ユーザは、冷蔵室３の右扉９を開きたい（自動開扉装置４１を動作させたい）場合には、左扉８の第３操作部４２をタッチ操作する。すると、振動センサ４３の振動検出に基づいて、操作制御部２３が第３操作部４２の操作があったことを判断し、主制御装置２２に開扉信号を送信する。主制御装置２２は自動開扉装置４１を動作させ、以て、右扉９が自動で開放されるようになる。従って、本実施形態によれば、ユーザが自動開扉装置４１を動作させるための第３操作部４２の操作を、誤操作なく行うことができる。
【００４３】
尚、図示はしないが、以下のような変更も可能である。即ち、上記第１の実施形態では、待機モードにおいて第２操作部３０がタッチ操作された時に、通常モードに変更するように構成したが、例えば、待機モードにおいて、第２操作部３０の操作が所定時間内に複数回繰返された（いわゆるダブルタップされた）ときに、待機モードを解除して通常モードに戻す構成とすることもできる。これにより、ユーザは、待機モードから通常モードへの変更を、誤操作することなく確実に行うことができる。また、通常モードにおいて、第２操作部３０が操作されたときに待機モードに切り替わるように構成しても良い。
【００４４】
上記第３の実施形態のように自動開扉装置４１を備えるものにあっても、第３操作部４２の操作が所定時間内に複数回繰返された（いわゆるダブルタップされた）ときに、自動開扉装置４１を動作させるように構成しても良い。これにより、ユーザは、自動開扉装置４１を動作させるための操作を、誤操作なく行うことができる。また、上記各実施形態では、設定内容を変更するための第１操作部２９の各操作ボタン２９ａ〜２９ｅのタッチ操作を静電容量式タッチセンサ３１により検出する構成としたが、この第１の操作部２９の各操作ボタン２９ａ〜２９ｅのタッチ操作を、夫々振動センサにより検出する構成としても良い。これによれば、ユーザは、設定内容を変更するための第１操作部の操作を、誤操作なく行うことができる。
【００４５】
上記実施形態では、振動センサとは異なる方式のセンサとして、静電容量式タッチセンサを採用したが、それ以外の各種センサやスイッチを採用しても良く、操作の多様化を図ることができる。少なくとも一部の操作部に、振動センサを採用すれば、誤操作防止という所期の目的を達成することができる。その他、上記した各実施形態に限定されるものではなく、例えば、冷蔵庫本体の各室の構成（配置）や、操作パネル部における操作部（操作ボタン）の種類や数、表示部の表示の形態等についても様々な変形例が考えられる。更には、操作表示ユニットの具体的な構造等に関しても種々の変形が可能であるなど、要旨を逸脱しない範囲内で適宜変更して実施し得るものである。
【符号の説明】
【００４６】
図面中、１は冷蔵庫本体、２は断熱箱体、３は冷蔵室、８は左扉、９は右扉、１０は操作パネル部、２２は主制御装置、２３は操作制御部、２４は前面板、２５は操作表示ユニット、２６は表示機構、２７は操作部、２８は表示部、２９は第１操作部、２９ａ〜２９ｅは操作ボタン、３０は第２操作部、３０ａは操作ボタン、３１は静電容量式タッチセンサ、３２，４３は振動センサ、４１は自動開扉装置、４２は第３操作部を示す。
【図１】
2014234985.tif 000003
【図２】
2014234985.tif 000004
【図３】
2014234985.tif 000005
【図４】
2014234985.tif 000006
【図５】
2014234985.tif 000007
【図６】
2014234985.tif 000008
【図７】
2014234985.tif 000009
【図８】
2014234985.tif 000010